(57)【特許請求の範囲】
【請求項１】
撮影光学系とファインダー光学系とが連動するカメラにおいて、
前記撮影光学系を有するレンズ鏡筒を構成する部材のうち撮影レンズの位置に応じて光軸方向に移動する鏡筒構成部材と、
前記鏡筒構成部材の上部に位置し、前記鏡筒構成部材に設けられたピンと係合する第１のカム部と、前記ファインダー光学系に設けられたダボ部と係合する第２のカム部とが形成されたファインダー駆動部材とを有し、
前記第１のカム部は光軸方向に対して斜めに形成されており、該第１のカム部および前記ピンの係合により前記鏡筒構成部材の光軸方向への移動に応じて前記ファインダー駆動部材が光軸方向と異なる方向に移動し、
さらに、前記第１のカム部が前記ピンの移動範囲よりも短く形成され、前記ピンが前記第１のカム部から外れることを特徴とするカメラ。
【請求項２】
前記ファインダー駆動部材は、カム板であることを特徴とする請求項１に記載のカメラ。
【請求項３】
前記ファインダー駆動部材は、光軸方向への移動が阻止され、光軸回りに移動可能であることを特徴とする請求項１に記載のカメラ。
【発明の詳細な説明】
【０００１】
【発明の属する技術分野】
本発明は、撮影光学系の変倍動作に応じてファインダー光学系の変倍動作を行わせるカメラに関するものである。
【０００２】
【従来の技術】
図４は、従来のファインダー変倍機構を伴うズームレンズ鏡筒を示している。円筒内周にメスヘリコイド１０１ａを持ち、外周に固定用のフランジ部分１０１ｂを持った固定メスヘリコイド筒１０１は、その側面略中央に穴１０１ｃを有する。さらに、内周には複数本のキー溝１０１ｄを有する。
【０００３】
固定メスヘリコイド筒１０１とヘリコイド嵌合するオスヘリコイド１０２ａを持ったオスヘリコイド筒１０２は、そのヘリコイド・リードに沿ったスパイラルギア１０２ｂを有する。このスパイラルギア１０２ｂは、固定メスヘリコイド筒１０１とオスヘリコイド筒１０２とがヘリコイド嵌合している状態では、穴１０１ｃを通して固定メスヘイリコイド筒１０１の内側に突出した駆動ギヤ１０３に噛合する。
【０００４】
以上の構成において、駆動ギア１０３が回転すると、オスヘリコイド筒１０２は回転しながら固定メスヘリコイド筒１０１に対して光軸方向に繰り出す。また、オスヘリコイド筒１０２の内周には、これと回転可能に嵌合し、かつ光軸方向には抜け出ないように固定された直進筒１０４が収容される。直進筒１０４の端部には、固定メスヘリコイド筒１０１のキー溝１０１ｄと嵌合摺動する複数本のキー１０４ａが形成されている。従って、オスヘリコイド筒１０２が回転しながら固定メスヘリコイド筒１０１に対して繰り出すと、直進筒１０４は、オスヘリコイド筒１０２とは一体的に回転することなく固定メスヘリコイド筒１０１に対して光軸方向に繰り出す。
【０００５】
さらに、直進筒１０４の内周には、図中不図示のレンズ群や、シャッター開閉機構、合焦用レンズ繰り出し機構等を保持するレンズ枠１０５，１０６，１０７が収容される。各レンズ枠１０５，１０６，１０７の外周には複数本のカムピン１０５ａ，１０６ａ，１０７ａが取り付けられている。これらカムピン１０５ａ，１０６ａ，１０７ａは、直進筒１０４に形成された長穴１０４ｂに摺動可能に嵌合している。このため、各レンズ枠１０５，１０６，１０７は直進筒１０４に対して回転することなく光軸方向に移動可能である。
【０００６】
また、オスヘリコイド筒１０２の内周には、長穴１０４ｂを貫通した各カムピン１０５ａ，１０６ａ，１０７ａが嵌合して、オスヘリコイド筒１０２の回転に伴ってこれらを光学条件を満足するよう案内するカム溝（図中不図示）が形成されている。
【０００７】
以上の構成において、駆動ギア１０３が回転すると、オスヘリコイド筒１０２と直進筒１０４とが一体的に固定メスヘリコイド筒１０１に対して繰り出し、さらに、そこから各レンズ枠１０５，１０６，１０７が繰り出し可能な差動型ズーム鏡筒が構成される。
【０００８】
次に、この差動型ズーム鏡筒に連動してファインダーの変倍を行なう機構について図５を用いて説明をする。この図において、１０１は前述したメスヘリコイド筒で、１０３は駆動ギアである。この駆動ギア１０３を減速ギア１２０を介して駆動するズームモータ１９は、ズーム鏡筒の上方中央に位置している。また、ファインダーの対物レンズ群（１１３，１１４）もズーム鏡筒の上方に位置している。
【０００９】
この構成では、ズームモータ１１９が回転するとギア１２０が駆動ギア１０３に回転力を伝えて、ズーム鏡筒が駆動される。一方、ギア１２２，１２３を介してギア１２０と噛み合うカム板１１８のギア部１１８ａにも駆動力が伝達され、カム板１１８が光軸に直交する方向に移動する。
【００１０】
カム板１１８には、光軸に直交する方向に延びるガイド溝１１８ｄ，１１８ｅが形成されており、これえらガイド溝１１８ｄ，１１８ｅにはファインダー地板１１２のガイドピン１１２ａ，１１２ｂが嵌合している。このため、カム板１８は光軸に直交する方向にのみ移動が許容される。
【００１１】
また、ファインダー地板１１２の前端に形成された穴部１１２ｃにはファインダーガイドバー１１５が挿入され、このガイドバー１１５上には１群レンズホルダー１１３および２群レンズホルダー１１４が光軸方向に移動自在に取り付けられている。
【００１２】
対物レンズ５０１，５０２を保持した１群レンズホルダ１１３および２群レンズホルダ１１４に形成されたダボ１１３ｂ，１１４ｂは、これらのファインダー地板１１２に光軸方向に延びるよう形成されたガイド溝１１２ｅに嵌合し、１群レンズホルダ１１３と２群レンズホルダ１１４を光軸方向ガイドバー１１５まわりの回転止めの役割を果たす。
【００１３】
そして、カム板１１８の１群カム溝１８ｂおよび２群カム溝１８ｃに各々それぞれレンズホルダ１３，１４に形成された１群ダボ１１３ａ、２群ダボ１１４ａが嵌合し、カム板１１８が移動することにより、ファインダー光学系の変倍動作が行われる。
【００１４】
【発明が解決しようとする課題】
しかしながら、上述したように、撮影光学系の変倍動作とファインダー光学系の変倍動作とを減速ギア１２２，１２３を介して連動させる構成を採ると、減速ギア１２２，１２３を設ける分部品点数が多くなり、これら配設するスペースも確保する必要がある。また、鏡筒とファインダーの変倍率を合わせるためにギアの位相合わせをする必要があり、組立て上面倒である。
【００１５】
さらに、撮影光学系とファインダー光学系とを常時連結していると、撮影光学系を格納のために沈胴させる際までファインダー光学系がともにカメラ内で移動し、カメラ内にそのためのスペースを確保する必要がある。また、撮影光学系が最大限にフィルム面近傍まで沈胴できないおそれがある。このため、カメラの大型化につながるという問題がある。
【００１６】
そこで、本願発明の第１の目的は、撮影光学系とファインダー光学系との間に特別な連動部材を必要とせず、しかもギアによる連動のように位相合わせをする必要がないカメラを提供することにある。
【００１７】
また、本願発明の第２の目的は、撮影レンズのワイド端から沈胴位置までの動きに対し、ファインダーを最低限必要な移動のみ行わせるようにしたカメラを提供することにある。
【００１８】
【課題を解決するための手段】
上記の目的を達成するために、本願第１の発明では、撮影光学系の移動に連動してファインダー光学系を移動させるカメラにおいて、撮影光学系の鏡筒を構成する部材のうち撮影光学系の位置に応じて移動する鏡筒構成部材と、ファインダー光学系を駆動するファインダー駆動部材とを連結している。
【００１９】
すなわち、撮影光学系の変倍動作に伴って光軸方向等に移動する鏡筒構成部材によって直接ファインダー駆動部材を駆動するようにして、従来のようにモータの出力を取り出すための減速ギヤ自体を不要として部品点数を減少させ、減速ギヤ用のスペースも不要としてカメラを小型化できるようにしている。しかも、減速ギヤの位相合わせ作業を不要として、組立てを容易に行えるようにしている。
ここで、鏡筒が、カメラ本体に対して固定された固定筒と、この固定筒に対して光軸回りで回転しながら光軸方向に移動する回転筒と、固定筒に対して回転方向に固定された状態で回転筒とともに光軸方向に移動する直進筒とを有して構成されている場合には、上記鏡筒構成部材として直進筒を用いるのが好ましい。
【００２０】
そして、具体的には、ファインダー駆動部材にカム部を形成し、鏡筒構成部材に設けたカムピン等をこのカム部に係合させるよう構成するのが望ましい。
【００２１】
そして、撮影光学系が非撮影用移動範囲に位置しているときは、鏡筒構成部材とファインダー駆動部材との連結が解除されるようにしている。
【００２２】
すなわち、撮影光学系がテレ端からワイド端までの撮影用移動範囲にあるときは、撮影光学系とともにファインダー光学系がカメラ本体に対して光軸方向に移動する一方、撮影光学系が撮影用移動範囲（例えば、テレ端からワイド端までの範囲）から外れて非撮影用移動範囲（沈胴範囲）に入ったときには上記連結を解除し、ファインダー光学系を停止させることにより、非撮影用移動範囲でもファインダー光学系が移動する場合のようにカメラ本体内にスペースを確保する必要をなくし、カメラの小型化を図っている。
【００２３】
具体的に、ファインダー駆動部材のカム部に鏡筒構成部材のカムピン等が係合している場合は、このカムピン等をこのカム部から離脱させることによって、上記連結の解除が行われるようにするのが望ましい。
【００２４】
但し、ファインダー駆動部材と鏡筒構成部材との連結が解除されると、ファインダー駆動部材がカメラの振動等によって動いてしまい、次に撮影光学系を撮影範囲に移動させたときに上記連結を回復できなくなるおそれがあるので、連結解除時（すなわち、撮影光学系が非撮影用移動範囲に位置するとき）に鏡筒構成部材に代わってファインダー駆動部材を保持する手段を設けるのが望ましい。
【００２５】
【発明の実施の形態】
（第１実施形態）
図１は本発明の第１実施形態であるカメラの撮影光学系のズーム鏡筒を示している。円筒内周にメスヘリコイド１ａを持ち、外周に固定用のフランジ部分１ｂを持った固定メスヘリコイド筒１は、その側面略中央に穴１ｃを有する。さらに、内周には複数本のキー溝１ｄを有する。
【００２６】
固定メスヘリコイド筒１とヘリコイド嵌合するオスヘリコイド２ａを持ったオスヘリコイド筒２には、そのヘリコイド・リードに沿ったスパイラルギア２ｂを有する。このスパイラルギア２ｂは、固定メスヘリコイド筒１とオスヘリコイド筒２とがヘリコイド嵌合している状態では、穴１ｃを通じて固定メスヘリコイド筒１の内側に突出した駆動ギヤ３に噛合する。
【００２７】
以上の構成によって、駆動ギア３が回転すると、オスヘリコイド筒２は回転しながら固定メスヘリコイド筒１に対して光軸方向に繰り出す。
【００２８】
また、オスヘリコイド筒２の内周には、これと回転可能に嵌合し、かつ光軸方向には抜け出ないように固定された直進筒４が収容される。直進筒４の端部には、固定メスヘリコイド筒１のキー溝１ｄと嵌合摺動する複数本のキーが形成されている。従って、オスヘリコイド筒２が固定しながら固定メスヘリコイド筒１に対して繰り出すと、直進筒４は、オスヘリコイド筒２とは一体的に回転することなく固定メスヘリコイド筒１に対して光軸方向に繰り出す。
【００２９】
さらに、直進筒４の内周には、図中不図示のレンズ群や、シャッタ開閉機構、合焦用レンズ繰出し機構等を保持するレンズ枠５，６，７が収容される。各レンズ枠５，６，７の外周には、複数本のカムピン５ａ，６ａ，７ａが取付けられており、これらカムピン５ａ，６ａ，７ａは、直進筒４に形成された長穴４ｂに摺動可能に嵌合している。このため、各レンズ枠５，６，７は直進筒４に対して回転することなく光軸方向に移動可能である。
【００３０】
また、オスヘリコイド筒２の内周には、長穴４ｂを貫通した各カムピン５ａ，６ａ，７ａが嵌合し、オスヘリコイド筒２の回転に伴ってこれを光学条件を満足するよう案内するカム溝（図中不図示）が形成されている。
【００３１】
以上の構成において、駆動ギア３が回転すると、オスヘリコイド筒２と直進筒４とが一体的に固定メスヘリコイド筒１に対して繰り出し、さらに、そこから各レンズ枠５，６，７が繰り出し可能な差動型ズーム鏡筒が構成される。
【００３２】
直進筒４の光軸方向端部上側には、台部４ｃが形成されており、この台部４ｃの上面には円柱状のピン部４ｄが形成されている。この台部４ｃをピン部４ｄはメスヘリコイド筒１の上部に光軸方向に延びるよう形成された溝部１ｅに嵌合し、鏡筒のズーム動作に応じて光軸方向前後に運動する。
【００３３】
なお、ピン４ｄの位置は、撮影レンズ群を保持するレンズ枠５，６，７の位置と対応しているので、ピン４ｄの位置を検出することによって撮影レンズの焦点距離を知ることができる。
【００３４】
次に、図２を用いて撮影レンズの変倍動作に連動して変倍動作するファインダー光学系について説明する。レンズ鏡筒の固定メスヘリコイド筒１の上部には、ファインダーカム板１０が配設されており、このファインダーカム板１０は、固定メスヘリコイド筒１の外周に光軸方向に延びて形成された突部１ｆ，１ｇと外周全部に形成されたフランジ部１ｂとによって位置規制されて、円周方向にのみ移動可能となっている。
【００３５】
また、ファインダーカム板１０は更に上部からファインダー地板１１により押さえられている。ファインダー対物レンズ郡１２，１３を保持している対物レンズ枠１４，１５には穴部１４ａ，１５ａが形成されており、これら穴部１４ａ，１５ａにはファインダーガイドバー１６が貫通している。このファインダーガイドバー１６は、ファインダー地板１１の前端に形成された穴部１１ａにファインダー対物レンズ郡１２，１３（レンズ枠１４，１５）を光軸方向前後に案内する。
【００３６】
なお、対物レンズ枠１４，１５の回転止めのため、これら対物レンズ枠１４，１５に形成されたダボ部１４ｂ，１５ｂが、ファインダー地板１１に光軸方向に延びて形成された溝部１１ｂに嵌合している。
【００３７】
また、ファインダーカム地板１０の裏側（固定メスヘリコイド筒１に対向する側）には、第１溝カム１０ａが形成されており、この第１溝カム１０ａには直進筒４のピン部４ｄが嵌合している。
【００３８】
さらに、ファインダーカム板１０には、第２および第３溝カム１０ｂ，１０ｃが形成されており、これら第２および第３溝カム１０ｂ，１０ｃには対物レンズ枠１４，１５のダボ部１４ｃ，１５ｃが嵌合している。
【００３９】
ここで、図３にファインダーカム板１０の各溝カム１０ａ，１０ｂ，１０ｃを展開した形で示す。ピン４ｄは、鏡筒の格納沈胴時は第１溝カム１０ａから外れる（図中に丸囲の「沈」で示す位置にある）。また、ワイド端では、第１溝カム１０ａにおける図中に丸囲みの「Ｗ」で示す位置まで入る。この時各ダボ部１４ｃ，１５ｃは、第２および第３溝カム１０ｂ，１０ｃ内における図中に丸囲みの「Ｗ」で示す位置にある。沈胴時も、ダボ部１４ｃ，１５ｃはワイド端位置と同じ位置にある。
【００４０】
撮影レンズが繰り出されると、カム板１０はピン４ｄがダボ１４ｃ，１５ｃに対して図３中左方向に移動し、テレ端ではピン４ｄやダボ１４ｃ，１５ｃはカム板１０に対して図中にて丸囲みの「Ｔ」で示す位置まで移動する。このため各ファインダーレンズ枠１４，１５溝カム１０ｂ，１０ｃに案内されてそれぞれ光軸方向に移動する。
【００４１】
このような構成によれば、沈胴時は直進筒４とファインダーカム板１０との連動を行なっているピン部４ｄが、カム板１０ａからはずれ、カム板１０が円周方向に対してフリーになるので、このカム板１０を固定するために、カム板固定バネ１７が設けられている。具体的には、固定バネ１７の突部１７ａがカム板１０のＶ溝１０ｄに係合して、沈胴からワイドの間でカム板を保持する。
【００４２】
このように変倍動作したファインダー対物レンズを通過した光束は、三角プリズム１８を通った後、ダハプリズム１９との間で結像される。このためダハプリズム１９と接眼レンズ２０とを通してファインダー像を見ることができる。
【００４３】
なお、本発明におけるファインダー駆動部材（ファインダーカム板１０）や、これに連結される鏡筒構成部材（直進筒４）の形状は、上記実施形態にて説明したものに限られるものではない。
【００４４】
また、本発明は、レンズシャッタカメラ、ビデオカメラ等、種々の形態のカメラに適用することができ、さらにはカメラ以外の光学機器やその他の装置、さらにはそれらカメラや光学機器やその他の装置に適用される装置またはこれらを構成する要素に対しても適用することができる。
【００４５】
また、本発明は、以上の実施形態および変形例、またはそれら技術要素を必要に応じて組み合わせて用いてもよい。
【００４６】
（実施形態と請求の範囲との関係）
上記実施形態において、直進筒４が請求の範囲にいう鏡筒構成部材に、ファインダーカム板１０が請求の範囲にいうファインダー駆動部材に、カム板１０に形成された第１溝カム１０ａが請求の範囲にいうカム部に、ワイド位置近傍から沈胴位置までの範囲が請求の範囲にいう非撮影用移動範囲に、固定バネ１７が請求の範囲にいう保持手段にそれぞれ相当する。
【００４７】
なお、以上が本発明の各構成と実施形態の各構成の対応関係であるが、本発明はこれら実施形態の構成に限られるものではなく、請求項に示した機構または実施形態の構成が持つ機能が達成できる構成であればどのようなものであってもよい。
【００４８】
【発明の効果】
以上説明したように、本願第１の発明では、撮影レンズの位置に応じて光軸方向等に移動する鏡筒構成部材によって直接ファインダー駆動部材を駆動するようにしている。このため、本発明を用いれば、従来のようにモータの出力を取り出すための減速ギヤ自体を不要として部品点数を減少させることができるとともに、減速ギヤ用のスペースも不要としてカメラを小型化することができる。しかも、従来のように撮影レンズの位置とファインダー光学系の位置との位置合わせのために減速ギヤの位相を合わせる作業が不要となるため、カメラの組立てを容易に行うことができる。
【００４９】
また、本願第２の発明では、撮影レンズが非撮影用移動範囲に位置するときには、鏡筒構成部材とファインダー駆動部材との連結を解除するようにしている。このため、本発明を用いれば、撮影レンズが撮影範囲から外れて非撮影用移動範囲に入ったとき、すなわち本来ファインダーレンズの変倍動作等を行う必要のないときにファインダーレンズを停止させることができる。したがって、撮影レンズが非撮影用移動範囲にあるときのファインダーレンズの移動スペースをカメラ本体内に確保する必要をなくすることができ、その分カメラの小型化を図ることができる。
【００５０】
なお、上記第２の発明において、撮影レンズが非撮影用移動範囲に位置するときに、鏡筒構成部材に代わってファインダー駆動部材を保持する保持手段を設ければ、ファインダー駆動部材がカメラの振動等によって動いてしまい、次に撮影レンズを撮影用移動範囲に移動させたときに上記連結を回復できなくなるのを確実に防止することができる。
【図面の簡単な説明】
【図１】本発明の第１実施形態であるカメラのズームレンズ鏡筒の斜視図である。
【図２】上記カメラのズームレンズ鏡筒とファインダー変倍機構とを示す斜視図である。
【図３】上記カメラのファインダーカム板の展開図である。
【図４】従来のズームレンズ鏡筒の斜視図である。
【図５】従来のファインダー変倍機構の斜視図である。
【符号の説明】
１    固定メスヘリコイド筒
２    オスヘリコイド筒
３    駆動ギア
４    直進筒
５，６，７    レンズ枠
１０    ファインダーカム板
１１    ファインダー地板
１２，１３    対物レンズ群
１４，１５    対物レンズ枠
１６    ファインダーガイドバー
１７    固定バネ
１８    三角プリズム
１９    ダハプリズム
２０    接眼レンズ
【図１】
0003548312.tif 000002
【図２】
0003548312.tif 000003
【図３】
0003548312.tif 000004
【図４】
0003548312.tif 000005
【図５】
0003548312.tif 000006